(57)【要約】【課題】アーンドバリューを利用した作業の進捗分析を現実的に可能にするために、現場管理者が日常的な管理業務を行う中で容易に作業の達成度を把握することが可能であり、かつ実質的な作業の達成度をなるべく正確に反映することが可能なシステム及び方法を提供することを目的とする。【解決手段】作業の実績情報を計画内と計画外で区分して把握し、計画内での実績をアーンドバリューとして把握し、計画内に計画外を加えた実質的な実績を実績コストとして把握することにより、現場の管理者は作業の終了時に実績情報を入力する際に計画内と計画外に区分するだけで、自動的にアーンドバリューと実績コストを算出することができる。また、実績コストを投入金額ベースで把握する一方で、アーンドバリューを作業の外形上の進捗から把握して入力することにより、実質的な作業の達成度をより正確に反映することもできる。【選択図】　　　図１
2004094413.tif 000002
【特許請求の範囲】
【請求項１】
工事に含まれる作業の達成度を判定するためのシステムであって、
特定期間内の作業計画に対応した作業の施工実績に関する計画内実績情報を格納する計画内実績情報格納手段と、
特定期間内の作業計画に含まれない作業の施工実績に関する計画外実績情報を格納する計画外実績情報格納手段と、
前記計画内情報格納手段に格納された計画内実績情報と前記計画外情報格納手段に格納された計画外実績情報をそれぞれ対応する期間内の作業計画に関する計画情報と対比して作業の達成度を判定する達成度判定手段と、
を備えることを特徴とする作業達成度判定システム。
【請求項２】
前記達成度判定手段は、前記計画情報と前記計画内実績情報を対比して作業進捗の達成度を判定し、前記計画情報と前記計画内実績情報及び前記計画外実績情報を対比して予算消化の達成度を判定することを特徴とする請求項１記載の作業達成度判定システム。
【請求項３】
前記工事に含まれる複数の作業の関係を定めた階層構造状の管理体系を格納した階層構造格納手段を備えており、
前記計画情報はそれぞれ前記管理体系に定められた作業と関連付けられて前記計画情報格納手段に格納され、
前記計画内実績情報はそれぞれ前記管理体系に定められた作業と関連付けられて前記計画内実績情報格納手段に格納され、
前記計画外実績情報はそれぞれ前記管理体系に定められた作業と関連付けられて前記計画外実績情報格納手段に格納されており、
前記作業達成度判定システムは前記階層構造格納手段を参照して、前記計画情報格納手段、前記計画内実績情報格納手段又は前記計画外実績情報格納手段から特定の作業に関連する前記計画情報、前記計画内実績情報又は前記計画外実績情報の少なくとも一つを抽出して前記特定の作業の達成度を判定することを特徴とする請求項１又は２記載の作業達成度判定システム。
【請求項４】
工事に含まれる作業の達成度を判定するためのシステムであって、
特定期間内の作業実績についての投入金額に関する投入実績情報を格納する投入実績情報格納手段と、
特定期間内の作業実績についての外形上の進捗に関する出来型情報を格納する出来型情報格納手段と、
前記投入実績情報格納手段に格納された投入実績情報と前記出来型情報格納手段に格納された出来型情報をそれぞれ対応する期間内の作業計画に関する計画情報と対比して作業の達成度を判定する達成度判定手段と、
を備えることを特徴とする作業達成度判定システム。
【請求項５】
前記達成度判定手段は、前記計画情報と前記出来型情報を対比して作業進捗の達成度を判定し、前記計画情報と前記投入実績情報を対比して予算消化の達成度を判定することを特徴とする請求項４記載の作業達成度判定システム。
【請求項６】
特定期間内の作業実績についての外形上の進捗に関する出来型情報を格納する出来型情報格納手段を備えており、
前記達成度判定手段は、前記計画情報と前記出来型情報を対比して作業進捗の達成度を判定し、前記計画情報と前記計画内実績情報及び前記計画外実績情報を対比して予算消化の達成度を判定することを特徴とする請求項１乃至３いずれかに記載の作業達成度判定システム。
【請求項７】
工事に含まれる作業の達成度を判定するための方法であって、
特定期間内の作業計画に対応した作業の施工実績に関する計画内実績情報を格納装置に格納するステップと、
特定期間内の作業計画に含まれない作業の施工実績に関する計画外実績情報を格納装置に格納するステップと、
演算装置が前記計画内実績情報と前記計画外実績情報をそれぞれ対応する期間内の作業計画に関する計画情報と対比して作業の達成度を判定するステップと、を有しており、
前記作業の達成度を判定するステップにおいては、前記計画情報と前記計画内実績情報を対比して作業進捗の達成度を判定し、前記計画情報と前記計画内実績情報及び前記計画外実績情報を対比して予算消化の達成度を判定することを特徴とする作業達成度の判定方法。
【請求項８】
工事に含まれる作業の達成度を判定するための方法であって、
特定期間内の作業実績についての投入金額に関する投入実績情報を格納装置に格納するステップと、
特定期間内の作業実績についての外形上の進捗に関する出来型情報を格納装置に格納するステップと、
演算装置が前記投入実績情報と前記出来型情報をそれぞれ対応する期間内の作業計画に関する計画情報と対比して作業の達成度を判定するステップと、を有しており、
前記作業の達成度を判定するステップにおいては、前記計画情報と前記出来型情報を対比して作業進捗の達成度を判定し、前記計画情報と前記投入実績情報を対比して予算消化の達成度を判定することを特徴とする作業達成度の判定方法。
【発明の詳細な説明】
【０００１】
【発明の属する技術分野】
本発明は、建設工事などの工事に含まれる作業について、工程管理の一貫として工事期間中における作業の進捗を確認するために、作業の達成度を判定するためのシステム及び作業の達成度を判定するための方法に関するものである。
【０００２】
【従来の技術】
建設工事など工事の工程管理においては、工事期間中のそれぞれの時点でどの程度作業が進捗しているかを確認し、その後の作業予定の作成に反映させることが広く行われている。ここでの進捗度の把握は、計画予算額に対してどの程度の予算を消化したか、計画上の資源の使用量に対してどの程度の資源を消化したか、という定量的に捉えられることが可能な計画と実績を対比することにより可能となる。工程管理を行うコンピュータシステムにおいても、これらの観点から計画に対する実績を入力して、進捗度を算出する機能を備えているものが一般的である。
【０００３】
これに対して、より正確な進捗度を把握するための手法として、アーンドバリュー（Ｅａｒｎｅｄ　Ｖａｌｕｅ）という概念を用いた、より精緻な手法も用いられるようになっている。アーンドバリューとは、実質的な作業の達成度を金銭的に把握した概念であり、アーンドバリューを実質的に消化した予算である実績コストと対比すると、実質的な作業の進捗に対して実績コストが超過していないか否かを分析することができる。
【０００４】
図２は、アーンドバリューの基本概念を示したグラフである。図２では、計画上定められた予算コスト（ＢＣＷＳ）と、これに対応して実際に支出した実コスト（ＡＣＷＰ）、ＢＣＷＳに対応して実質的な作業の達成度を金銭的に示したアーンドバリュー（ＢＣＷＰ）が表記されている。
【０００５】
図２の「現時点」においては、ＢＣＷＰがＢＣＷＳを下回っており、実際の作業進捗の観点からは作業の遅延が明らかとなっている。一方、ＡＣＷＰはＢＣＷＳを上回っており、予算消化の観点からは当初の計画を超過していることが読取れる。これらを分析すると、現時点においては作業の進捗が遅れているにも関わらず予算が計画を超過しており、このままでは予算オーバーになってしまうということを理解することができる。ＡＣＷＰとＢＣＷＰの差額は、実質的な超過コストとして把握することができる。これらのグラフの傾向値からそれぞれの数値の予測を行うことにより、このまま進捗した場合の超過コストや、作業の時間的な遅れを予測することもできる。
【０００６】
このようなアーンドバリューを利用した分析手法においては、アーンドバリューの基礎となる実質的な作業の達成度をどのように把握するかが問題となる。この点については、例えば実績作業時間を把握し、これに予算上の単価を掛け合わせて達成度を金銭的に認識する手法が用いられている（例えば非特許文献１参照）。
【０００７】
【非特許文献１】
日経ＢＰ・建設現場情報局「現場所長のためのＷｅｂスクール」、インターネット＜ＵＲＬ：ｈｔｔｐ：／／ｉｎｆｏ．ｎｉｋｋｅｉｂｐ．ｃｏ．ｊｐ／ｇｅｎｂａ／ｍｓ＿ｐｒｏｊｅｃｔ／２００２＿０３１９＿７２．ｈｔｍｌ＞
【０００８】
【発明が解決しようとする課題】
単純に計画予算と予算消化の実績を対比する場合に比べて、実質的な超過コストや作業の進捗を把握できる点において、アーンドバリューを利用した分析手法が優れていることは明らかである。しかしながら、アーンドバリューを用いる場合には、達成度を具体的に数値情報としてどのような数値として把握し、かつ計画予算と対比するかが課題となる。
【０００９】
前記の実績作業時間を用いた例は解決手段の一つではあるが、通常は作業現場では一日単位での進捗管理が行われているために、作業現場においては消化した予算の実績に加えて、別途実績作業時間を把握して、工程管理システムに入力しなければならないという負担がかかることになる。現場の負担の増加は、日々の入力作業を怠ることとなり、結果的にアーンドバリューが把握できないということにもつながり易い。また、実績作業時間自体が、必ずしも実質的な作業の達成度を反映するとは限らないという問題もある。
【００１０】
アーンドバリューを利用した分析を現実的に可能にするためには、作業の達成度を把握するための現場管理者の負担を極力軽減し、かつなるべく実質的な作業の達成度を反映したデータを収集することが必要になる。
【００１１】
本発明は、こうした課題に対応して、現場管理者が日常的な管理業務を行う中で容易に作業の達成度を把握することが可能であり、かつ実質的な作業の達成度をなるべく正確に反映することが可能な作業達成度判定システム及び作業達成度の判定方法を提供することを目的とするものである。
【００１２】
【課題を解決するための手段】
これらの課題を解決するために、第１の発明は、工事に含まれる作業の達成度を判定するためのシステムであって、特定期間内の作業計画に対応した作業の施工実績に関する計画内実績情報を格納する計画内実績情報格納手段と、特定期間内の作業計画に含まれない作業の施工実績に関する計画外実績情報を格納する計画外実績情報格納手段と、前記計画内情報格納手段に格納された計画内実績情報と前記計画外情報格納手段に格納された計画外実績情報をそれぞれ対応する期間内の作業計画に関する計画情報と対比して作業の達成度を判定する達成度判定手段と、を備えることを特徴とする。前記達成度判定手段は、前記計画情報と前記計画内実績情報を対比して作業進捗の達成度を判定し、前記計画情報と前記計画内実績情報及び前記計画外実績情報を対比して予算消化の達成度を判定することを特徴とすることもできる。
【００１３】
この発明においては、作業の実績情報を計画内と計画外で区分して把握し、計画内での実績をＢＣＷＰとして把握し、計画内に計画外を加えた実質的な実績をＡＣＷＰとして把握することにより、現場の管理者は例えば一日単位で作業の終了時に実績情報を入力する際に計画内と計画外に区分するだけで、自動的にＢＣＷＰとＡＣＷＰを算出することができる。
【００１４】
ここで計画内での実績をＢＣＷＰと把握しているのは、計画外の資源等の消費を事実上の予算超過と捉えると、計画内での予算の消化状況こそが本来的な作業の達成度を示すものとおおよその範囲では捉えることができるためである。
【００１５】
尚、ここでの作業とは、建設工事などの工事を構成する作業を意味し、工事の工程には通常は複数の作業が含まれている。作業の内容は建設工事に関するものに限られず、達成度を把握して管理することが可能な全ての作業が含まれる。また、ここで用いられる計画情報や実績情報は、作業の進捗状況を把握できるデータであればよいが、通常は作業に必要な資源や工数などを金銭的に把握した予算データと、これに対応する金銭的な実績データが用いられる。金銭的な把握については、実際に支払った金額を用いてもよいし、使用した資源の数量等を金銭的に置き換えた数値を用いてもよい。
【００１６】
また、第１の発明は、前記工事に含まれる複数の作業の関係を定めた階層構造状の管理体系を格納した階層構造格納手段を備えており、前記計画情報はそれぞれ前記管理体系に定められた作業と関連付けられて前記計画情報格納手段に格納され、前記計画内実績情報はそれぞれ前記管理体系に定められた作業と関連付けられて前記計画内実績情報格納手段に格納され、前記計画外実績情報はそれぞれ前記管理体系に定められた作業と関連付けられて前記計画外実績情報格納手段に格納されており、前記作業達成度判定システムは前記階層構造格納手段を参照して、前記計画情報格納手段、前記計画内実績情報格納手段又は前記計画外実績情報格納手段から特定の作業に関連する前記計画情報、前記計画内実績情報又は前記計画外実績情報の少なくとも一つを抽出して前記特定の作業の達成度を判定することを特徴とすることもできる。
【００１７】
この構成においては、上位の作業からその中に含まれる作業をツリー構造状に位置づけることにより、下位の作業において必要な実績情報等を関連付けておけば、上位の作業における達成度の分析を行いたい場合にも下位に含まれる作業に関する実績情報等を集計することにより、容易に必要なデータを算出することができる。例えば上位の作業が「１階工事」である場合に、「１階工事」を選択すると下位の作業である「１階型枠工事」と「１階鉄筋工事」に関するデータを集計することにより、「１階工事」における達成度を分析することができる。階層構造状の管理体系は、これらの上位の作業と下位の作業をツリー構造状に位置付けてディレクトリに格納される。
【００１８】
第２の発明は、工事に含まれる作業の達成度を判定するためのシステムであって、特定期間内の作業実績についての投入金額に関する投入実績情報を格納する投入実績情報格納手段と、特定期間内の作業実績についての外形上の進捗に関する出来型情報を格納する出来型情報格納手段と、前記投入実績情報格納手段に格納された投入実績情報と前記出来型情報格納手段に格納された出来型情報をそれぞれ対応する期間内の作業計画に関する計画情報と対比して作業の達成度を判定する達成度判定手段と、を備えることを特徴とする。前記達成度判定手段は、前記計画情報と前記出来型情報を対比して作業進捗の達成度を判定し、前記計画情報と前記投入実績情報を対比して予算消化の達成度を判定することを特徴とすることもできる。
【００１９】
この発明においては、ＡＣＷＰを投入金額ベースで把握する一方で、ＢＣＷＰを作業の外形上の進捗から把握して入力することにより、実質的な作業の達成度をより正確に反映することができる。
【００２０】
ここで外形上の進捗に関する出来型情報とは、作業の外観上の仕上り状況から判断したおおよその進捗度合いや、例えば建設工事におけるコンクリートのように作業の進捗度と相関関係の強い資源の使用状況等を数値化したものであり、ＡＣＷＰの根拠となる投入金額とは異なる観点から把握されるものである。従って、ＢＣＷＰを出来型情報から算出すれば、ＡＣＷＰとの比較でより実態に近い進捗状況を把握することにより、超過コストや作業の時間的な遅れを予測することができる。
【００２１】
第３の発明は、第１の発明のそれぞれの実施形態について、特定期間内の作業実績についての外形上の進捗に関する出来型情報を格納する出来型情報格納手段を備えており、前記達成度判定手段は、前記計画情報と前記出来型情報を対比して作業進捗の達成度を判定し、前記計画情報と前記計画内実績情報及び前記計画外実績情報を対比して予算消化の達成度を判定することを特徴とする。
【００２２】
この発明においては、第１の発明により、現場管理者が計画内と計画外に区分した実績入力を行うだけで容易に作業の達成度を把握することが可能になるとともに、同時に第２の発明の出来型の概念を採用することにより、実質的な作業の達成度をより正確に反映することも可能になる。この場合、日常的に簡易な進捗把握を行うためであれば、入力の手間がかからない計画内実績をＢＣＷＰとして用いればよいし、実質的な作業の達成度をより正確に把握したい場合には出来型情報を入力してＢＣＷＰとして用いてもよく、目的に合わせて達成度の判定方法を使い分けることができる。
【００２３】
さらに、本発明は、本発明にかかるそれぞれの構成の作業達成度判定システムに対応して、それぞれのシステムを用いた作業達成度の判定方法として構成することもできる。
【００２４】
【発明の実施の形態】
本発明の実施の形態について、図面を用いて以下に詳細に説明する。尚、ここで説明する実施形態では建設工事について例示するが、これはあくまでも実施形態の一例であり、本発明は建設工事に関する作業の達成度を対象に限定するものではなく、達成度を把握して管理することが可能な全ての作業を含むものである。
【００２５】
図１は、本発明にかかる作業達成度判定システムの構成を示すブロック図である。図２は、アーンドバリューによる進捗状況把握の概念を示す図である。図３〜図５は、本発明にかかる作業達成度判定システムにおいて、それぞれ作業の予定情報を入力する画面、計画内の実績情報を入力する画面、計画外の実績情報を入力する画面の一例を示す図である。図６は、本発明にかかる作業達成度判定システムにおいて、計画予算、アーンドバリュー及び実績コストと、計画内実績及び計画外実績の対応関係を示す図である。図７は、本発明にかかる作業達成度判定システムにおいて、計画内実績及び計画外実績を入力するフローチャートである。
【００２６】
図２に示した、アーンドバリューによる進捗状況把握の概念は、従来技術において説明したとおりである。実質的な作業の達成度を示すアーンドバリューを把握することにより、予算コストとの対比から実質的な作業の進捗状況を把握して、各時点での作業の終了時期の予測が可能になるとともに、実績コストとの対比から実質的な予算の超過状況を把握して、残作業のコストを見積もることも可能になる。
【００２７】
図１において、本発明にかかる作業達成度判定システム１００は、入力制御部１１０、表示制御部１２０、計画情報データベース１３０、実績情報データベース１４０、階層構造データベース１５０及び達成度判定部１６０から構成されており、入力制御部１１０及び表示制御部１２０は、端末装置２００と接続されている。
【００２８】
実績情報データベース１４０は、計画内実績情報格納部１４１及び計画外実績情報格納部１４２を含んでおり、出来型情報格納部１４３を含むよう構成されてもよい。階層構造データベース１５０は、ツリー構造格納部１５１を含んでおり、ツリー展開構造格納部１５２を含むよう構成されてもよい。
【００２９】
作業の達成度を判定するための基礎データとして、計画に対して作業がどの程度進捗したかの実績情報を記録することが必要であるが、本発明にかかる作業達成度判定システム１００においては、例えば一日単位で作業が終了する毎に実績情報を端末装置２００から入力すると、入力制御部１１０を介して実績情報データベース１４０に実績情報が記録される。この実績情報は、計画内の実績と計画外の実績を区分して入力すると、それぞれ計画内実績情報格納部１４１と計画外実績情報格納部１４２に格納される。
【００３０】
実績情報の入力は、通常は当日の作業の進捗状況を記録する作業日報作成のために必要な情報をコンピュータの管理システムに入力すると、入力した情報から必要な情報を実績情報データベース１４０に記録することにより行われる。
【００３１】
図３は、本発明にかかる作業達成度判定システムにおいて、作業の予定情報を入力する画面の一例を示している。このように予定情報を入力すると、一日に行われる作業予定については、予定している作業量が、作業全体及び作業を構成する資源単位で記録される。こうした作業の計画や予定に関する情報は、計画情報データベース１３０に格納される。
【００３２】
作業の実績情報を入力する場合には、計画情報データベース１３０を参照して、作業の計画や予定に関する情報と対照させて実績情報を入力する。実績情報は計画に含まれている資源等についての計画内の実績情報と、計画には含まれない資源等を使用した場合の計画外の実績情報に区分して入力され、それぞれ実績情報データベース１４０の計画内実績情報格納部１４１、計画外実績情報格納部１４２に格納される。
【００３３】
図４は、本発明にかかる作業達成度判定システムにおいて、計画内の実績情報を入力する画面の一例を示している。ここでは予定として記録された資源について、それぞれの予定数量及び予定金額に対応して、実績数量及び実績金額を入力するよう構成されている。
【００３４】
図５は、本発明にかかる作業達成度判定システムにおいて、計画外の実績情報を入力する画面の一例を示している。ここでは予定には記録されていない生コンクリートを計画外で使用したため、予定数量及び予定金額がゼロであるのに対して、実績数量及び実績金額を入力するよう構成されている。
【００３５】
図４及び図５に示した入力画面は、作業現場の日々の進捗状況を管理する作業日報を作成するシステムとして用いることができるものであるため、これらの入力作業は日報作成時に計画内の実績と計画外の実績を区分することで、作業現場の日常的な業務の一環として行うことができる。
【００３６】
図７のフローチャートを用いて、本発明にかかる作業達成度判定システムにおいて、計画内実績及び計画外実績を入力するフローを説明する。
【００３７】
まず、日報作成等の作業として、作業の実績情報を入力する対象日を指定する（Ｓ０１）。指定された対象日に計画された作業に関する計画情報を参照しながら、それぞれの計画値に対応した実績値を入力する（Ｓ０２）。全ての資源等についての実績値を入力するまでは実績値の入力を繰り返し（Ｓ０３）、全ての実績値の入力が行われると、計画外の作業が行われたか否かを確認する（Ｓ０４）。
【００３８】
計画外の作業が行われていない場合は、全ての作業について実績値を入力したか否かを確認し（Ｓ０７）、全ての作業について入力が終了していれば、実績の入力作業は終了する。
【００３９】
計画外の作業が行われている場合は、計画外の作業について消費した資源等についての実績値を入力する（Ｓ０５）。全ての計画外の作業についての実績値を入力するまでは、計画外の実績値の入力が繰り返される（Ｓ０６）。全ての計画外の作業について実績値の入力が行われると、全ての作業について実績値を入力したか否かを確認し（Ｓ０７）、全ての作業について入力が終了していれば、実績の入力作業は終了する。
【００４０】
このように計画内実績と計画外実績が区分して記録されると、作業の達成度についてアーンドバリューを利用した分析を行いたい場合には、図１において端末装置２００からの指示により、入力制御部１１０を介して達成度判定部１６０が起動され、計画内実績情報格納部１４１及び計画外実績情報格納部１４２から必要なデータを抽出して、達成度の判定を行う。達成度判定部１６０においては、ＢＣＷＰとして計画内実績の数値データを、ＡＣＷＰとして計画内実績及び計画外実績を合計した数値データを用いて、作業がどの程度遅延しているか、実質的な作業の進捗に対してどの程度の超過コストが生じているか、といった判定を行う。
【００４１】
図６は、本発明にかかる作業達成度判定システムにおいて、計画予算、アーンドバリュー及び実績コストと、計画内実績及び計画外実績の対応関係を示している。計画予算がＢＣＷＳとなるのに対して、この計画に対応した作業の実績である計画内実績がＢＣＷＰとして把握され、計画内実績に計画予算に含まれなかった計画外実績を加えたものがＡＣＷＰとして把握される。実績コストであるＡＣＷＰには実際に消費した金額を用いるべきなのに対し、作業の進捗度であるＢＣＷＰは計画に対応した予定の消化状況に近いものと考えられるためである。
【００４２】
ＢＣＷＳとＢＣＷＰの差異であるＸは、実質的な作業の進捗状況と考えることが出来るので、図６の例では作業が計画より遅延していることを読み取ることができる。ＢＣＷＳとＡＣＷＰの差異であるＺは、予算に対して超過しているコストと考えることができるので、図６の例では計画予算より予算消化が超過していることを読み取ることができる。ＢＣＷＰとＡＣＷＰの差異であるＹは、実質的な作業の進捗に対して超過しているコストと考えることができるので、図６の例では作業の遅延に関わらず予算消化が超過していることを読み取ることができる。
【００４３】
達成度を判定する対象となる作業について、例えば「１階鉄筋工事」「１階型枠工事」といった作業の括りに対して、「１階工事」という上位レベルの作業での達成度を判定したい場合は、階層構造データベース１５０を利用した下位レベルの作業に関する実績情報の集計によることができる。
【００４４】
階層構造データベース１５０においては、それぞれの作業をノードとして上下関係をツリー構造状に位置付けて記録し、下位に子ノードが存在しないリーフノードとなる作業について、実績情報データベース１４０に格納された実績情報と関連付けておく。これによって、上位概念の作業については階層構造データベース１５０を参照して下位に含まれる作業の実績情報を集計することにより、達成度を判定することができる。
【００４５】
また、実績情報の入力においては、前記の計画内情報と計画外情報の他に、作業の外形上の進捗に関する出来型情報を入力するよう構成することもできる。出来型情報とは、作業の外観上の仕上り状況から判断したおおよその進捗度合いや、例えば建設工事におけるコンクリートのように作業の進捗度と相関関係の強い資源の使用状況等を数値化したものであり、実質的な作業の進捗度をより正確に反映するものである。
【００４６】
入力した出来型情報は、実績情報データベース１４０の出来型情報格納部１４３に格納される。ここに格納されたデータは、達成度を判定する際に、ＢＣＷＰを算出する基礎データとして用いられる。
【００４７】
このような出来型情報によるＢＣＷＰの算出が可能な構成においては、達成度判定部１６０におけるＢＣＷＰの算出は、計画内実績を用いてもよいし、出来型情報を用いてもよい。出来型情報を用いる場合には、作業の進捗度は外形から捉えるので必ずしも下位の作業から積み上げることは必要なく、前記の例では例えば「１階工事」についての出来型を直接入力することもできる。
【００４８】
この場合、それぞれの作業と出来型情報は１対１で対応付けられるため、作業間の関係にツリー構造を用いる必要はなく、ツリー構造を展開したそれぞれの作業項目に対して出来型情報を関連付ければよい。この構成においては、階層構造データベース１５０には、ツリー構造を展開したツリー展開構造格納部１５２が設けられ、それぞれの作業に関するノードが直接に実績情報データベース１４０の出来型情報格納部１４３と関連付けられている。
【００４９】
【発明の効果】
この発明により、現場管理者が日報作成などの日常的な管理業務を行う中で、容易に作業の進捗状況を定量的に把握して、アーンドバリューを利用した達成度の判定を行うことが可能になる。アーンドバリューによる分析を容易にすることにより、作業現場における進捗管理を徹底し、建設工事等の工事の工程管理の質を向上させることができる。
【００５０】
また、実質的な作業の達成度をなるべく正確に反映したデータを用いて、より精緻なアーンドバリューを利用した達成度の判定を行うことも可能になる。アーンドバリューによる分析の精度を向上させることにより、作業現場の進捗管理を徹底し、建設工事等の工事の工程管理の質を向上させることができる
【図面の簡単な説明】
【図１】本発明にかかる作業達成度判定システムの構成を示すブロック図である。
【図２】アーンドバリューによる進捗状況把握の概念を示す図である。
【図３】本発明にかかる作業達成度判定システムにおいて、作業の予定情報を入力する画面の一例を示す図である。
【図４】本発明にかかる作業達成度判定システムにおいて、計画内の実績情報を入力する画面の一例を示す図である。
【図５】本発明にかかる作業達成度判定システムにおいて、計画外の実績情報を入力する画面の一例を示す図である。
【図６】本発明にかかる作業達成度判定システムにおいて、計画予算、アーンドバリュー及び実績コストと、計画内実績及び計画外実績の対応関係を示す図である。
【図７】本発明にかかる作業達成度判定システムにおいて、計画内実績及び計画外実績を入力するフローチャートである。
【符号の説明】
１００　　作業達成度判定システム
１１０　　入力制御部
１２０　　表示制御部
１３０　　計画情報データベース
１４０　　実績情報データベース
１４１　　計画内実績情報格納部
１４２　　計画外実績情報格納部
１４３　　出来型情報格納部
１５０　　階層構造データベース
１５１　　ツリー構造格納部
１５２　　ツリー展開構造格納部
１６０　　達成度判定部
２００　　端末装置
【図１】
2004094413.tif 000003
【図２】
2004094413.tif 000004
【図３】
2004094413.tif 000005
【図４】
2004094413.tif 000006
【図５】
2004094413.tif 000007
【図６】
2004094413.tif 000008
【図７】
2004094413.tif 000009